(57)【要約】【課題】発送される送付体について早期の開封を促すことができるとともに、送付体についての適切な情報を収集する。【解決手段】送付体の受取人が操作可能な携帯端末１０に対して、送付体が受取人に届く前のタイミングで管理サーバ２０から送信されるメッセージに、送付体が開封された際に閲覧可能となるＩＤを携帯端末１０に送信される入力画面に入力する入力期限を表示し、送付体が開封された日時が、メッセージに表示された入力期限内である場合と入力期限外である場合とで、異なる情報画面を管理サーバ２０から携帯端末１０に送信する。【選択図】図１
2019003422.tif 000002
【特許請求の範囲】
【請求項１】
送付体の発送を通知する通知システムであって、
前記送付体には、該送付体が開封された際に閲覧可能となる領域に識別情報が記載され、
前記送付体の発送を通知する予告電子通知画面を表示するための表示情報を組み立てる通知画面作成手段と、
前記送付体を発送する発送日データが登録されたデータベースと、
前記データベースに登録された発送日データに基づいて、前記送付体が受取人に届く日時よりも前の送信タイミングを決定し、前記通知画面作成手段にて組み立てられた表示情報を、前記送付体の受取人が操作可能な情報表示端末に前記送信タイミングにて送信する情報送信手段と、
前記予告電子通知画面を用いてアクセスしてきた情報表示端末に対して、前記識別情報を入力するための入力画面を送信する入力画面送信手段と、
前記入力画面に前記識別情報が入力された場合に、前記送付体が開封された旨を示す開封情報を受信する開封情報受信手段と、
前記開封情報受信手段にて前記開封情報が受信された場合に、前記情報表示端末に情報画面を送信する情報画面送信手段とを有し、
前記予告電子通知画面には、前記入力画面への前記識別情報の入力期限が表示されており、
前記情報画面送信手段は、前記開封情報受信手段にて開封情報が受信された日時が、前記予告電子通知画面に表示された入力期限内である場合と入力期限外である場合とで、異なる情報画面を前記情報表示端末に送信する、通知システム。
【請求項２】
請求項１に記載の通知システムにおいて、
前記情報送信手段から前記表示情報が送信されてからの時間を計測する計測手段を有し、
前記情報画面送信手段は、前記計測手段にて計測された時間に基づいて、前記開封情報受信手段にて開封情報が受信された日時が、前記予告電子通知画面に表示された入力期限内であるかどうかを判断する、通知システム。
【請求項３】
請求項１または請求項２に記載の通知システムにおいて、
前記情報画面送信手段は、前記開封情報受信手段にて開封情報が受信された日時が、前記予告電子通知画面に表示された入力期限外である場合、前記入力画面への前記識別情報の入力が無効である旨を示す情報画面を前記情報表示端末に送信する、通知システム。
【請求項４】
請求項１乃至３のいずれか１項に記載の通知システムにおいて、
前記予告電子通知画面には、前記送付体の受取人に当該送付体を用いて提供するお奨め情報が表示されている、通知システム。
【請求項５】
請求項１乃至４のいずれか１項に記載の通知システムにおいて、
前記送付体は、時間の経過に伴って品質や効能の低下が生じる物品が内包された送付物である、通知システム。
【発明の詳細な説明】
【技術分野】
【０００１】
本発明は、商品サンプル等の物品が内包された送付物等の送付体の発送を通知する通知システムに関する。
【背景技術】
【０００２】
一般的に、ダイレクトメールのように広告宣伝等を目的として送付される印刷物においては、差出人が受取人に通知したい情報が文字や絵図として所定の用紙に印刷されている。そして、印刷物が受取人にて受け取られて開封されることにより、印刷された文字や絵図が受取人に通知されることになる。ところが、このような印刷物は、受取人が身に覚えがなく予定していないタイミングで送付されてくるため、受取人が興味を沸くことがなく開封されずに廃棄されてしまうことが多い。
【０００３】
ここで、配送物を配送する際に、その旨を送付状や電子メールで事前に通知するシステムが考えられており、例えば、特許文献１，２に開示されている。これらの技術においては、配送物が配送される際にその旨が配送先に通知されることで、配送物を効率よく配送することができる。
【先行技術文献】
【特許文献】
【０００４】
【特許文献１】特開２００１−３０６６６４号公報
【特許文献２】特開２０１４−２４０３１６号公報
【発明の概要】
【発明が解決しようとする課題】
【０００５】
しかしながら、特許文献１，２に開示されたものにおいては、配送物が配送される旨が事前に通知されるだけであるため、例えば、時間の経過に伴って品質や効能の低下が生じる食品や薬品等、消費期限や使用期限が設定されており、配送物を早期に開封する必要があるものであっても、配送物の受取人が配送物を開封せずに放置してしまう虞がある。
【０００６】
また、近年においては、商品サンプル等を送付してその感想等を収集するマーケティング方法が実施されているが、上記のような消費期限や使用期限が経過してしまった配送物については、適切な感想等を収集することができなくなってしまうという問題点がある。
【０００７】
本発明は、上述したような従来の技術が有する問題点に鑑みてなされたものであって、発送される送付体について早期の開封を促すことができるとともに、送付体についての適切な情報を収集することができる通知システムを提供することを目的とする。
【課題を解決するための手段】
【０００８】
上記目的を達成するために本発明は、
送付体の発送を通知する通知システムであって、
前記送付体には、該送付体が開封された際に閲覧可能となる領域に識別情報が記載され、
前記送付体の発送を通知する予告電子通知画面を表示するための表示情報を組み立てる通知画面作成手段と、
前記送付体を発送する発送日データが登録されたデータベースと、
前記データベースに登録された発送日データに基づいて、前記送付体が受取人に届く日時よりも前の送信タイミングを決定し、前記通知画面作成手段にて組み立てられた表示情報を、前記送付体の受取人が操作可能な情報表示端末に前記送信タイミングにて送信する情報送信手段と、
前記予告電子通知画面を用いてアクセスしてきた情報表示端末に対して、前記識別情報を入力するための入力画面を送信する入力画面送信手段と、
前記入力画面に前記識別情報が入力された場合に、前記送付体が開封された旨を示す開封情報を受信する開封情報受信手段と、
前記開封情報受信手段にて前記開封情報が受信された場合に、前記情報表示端末に情報画面を送信する情報画面送信手段とを有し、
前記予告電子通知画面には、前記入力画面への前記識別情報の入力期限が表示されており、
前記情報画面送信手段は、前記開封情報受信手段にて開封情報が受信された日時が、前記予告電子通知画面に表示された入力期限内である場合と入力期限外である場合とで、異なる情報画面を前記情報表示端末に送信する。
【０００９】
上記のように構成された本発明においては、送付体が発送される場合に、送付体の発送を通知する予告電子通知画面を表示するための表示情報が組み立てられ、この表示情報が、送付体の受取人が操作可能な情報表示端末に対して、送付体が受取人に届く前の送信タイミングにて送信されるので、送付体の受取人は、送信されてきた表示情報によって予告電子通知画面が情報端末に表示されることで、送付体が送付されてくる旨を認識することができる。また、送付体には、送付体が開封された際に閲覧可能となる領域に識別情報が記載されており、予告電子通知画面を用いてアクセスした情報表示端末に送信された入力画面に識別情報が入力されると、送付体が開封された旨を示す開封情報が開封情報受信手段にて受信され、情報画面送信手段から情報表示端末に情報画面が送信される。その際、予告電子通知画面には、入力画面への識別情報の入力期限が表示されているので、発送される送付物について早期の開封を促すことができる。また、情報画面送信手段からは、開封情報受信手段にて開封情報が受信された日時が、予告電子通知画面に表示された入力期限内である場合と入力期限外である場合とで、異なる情報画面が情報表示端末に送信されるので、この情報画面を用いて送付体についての情報を収集する場合、送付体が開封されたタイミングに応じて適切な情報を収集することができる。
【００１０】
また、情報送信手段から表示情報が送信されてからの時間を計測する計測手段を有し、情報画面送信手段が、計測手段にて計測された時間に基づいて、開封情報受信手段にて開封情報が受信された時刻が、予告電子通知画面に表示された入力期限内であるかどうかを判断すれば、情報送信手段から表示情報が送信された日時を基準として、送付体が開封されたタイミングを認識することができる。
【００１１】
また、情報画面送信手段が、開封情報受信手段にて開封情報が受信された日時が、予告電子通知画面に表示された入力期限外である場合、入力画面への識別情報の入力が無効である旨を示す情報画面を情報表示端末に送信すれば、消費期限や使用期限が経過した送付体についての情報が不要であれば、そのような情報が収集されないようにすることができる。
【００１２】
また、予告電子通知画面に、送付体の受取人に送付体を用いて提供するお奨め情報が表示されていれば、送付体の受取人においては、予告電子通知画面が情報表示端末に表示されることで、送付体を受け取る前に、送付体を用いて提供されるお奨め情報を知ることができ、発送される送付体について興味が沸くこととなる。
【００１３】
また、送付体は、時間の経過に伴って品質や効能の低下が生じる物品が内包された送付物が考えられる。
【発明の効果】
【００１４】
本発明によれば、送付体の受取人が操作可能な情報表示端末に対して、送付体が受取人に届く前のタイミングで送信される予告電子通知画面に、送付体が開封された際に閲覧可能となる識別情報を情報表示端末に送信される入力画面に入力する入力期限が表示されているため、発送される送付物について早期の開封を促すことができ、また、送付体が開封された日時が、予告電子通知画面に表示された入力期限内である場合と入力期限外である場合とで、異なる情報画面が情報表示端末に送信されるので、この情報画面を用いて送付体についての情報を収集する場合、送付体が開封されたタイミングに応じて適切な情報を収集することができる。
【００１５】
また、情報送信手段から表示情報が送信されてからの時間を計測する計測手段を有し、情報画面送信手段が、計測手段にて計測された時間に基づいて、開封情報受信手段にて開封情報が受信された時刻が、予告電子通知画面に表示された入力期限内であるかどうかを判断するものにおいては、情報送信手段から表示情報が送信された日時を基準として、送付体が開封されたタイミングを認識することができる。
【００１６】
また、情報画面送信手段が、開封情報受信手段にて開封情報が受信された日時が、予告電子通知画面に表示された入力期限外である場合、入力画面への識別情報の入力が無効である旨を示す情報画面を情報表示端末に送信するものにおいては、消費期限や使用期限が経過した送付体についての情報が不要であれば、そのような情報が収集されないようにすることができる。
【００１７】
また、予告電子通知画面に、送付体の受取人に送付体を用いて提供するお奨め情報が表示されているものにおいては、送付体の受取人においては、予告電子通知画面が情報表示端末に表示されることで、送付体を受け取る前に、送付体を用いて提供されるお奨め情報を知ることができ、発送される送付体について興味が沸くこととなる。
【図面の簡単な説明】
【００１８】
【図１】本発明の通知システムの実施の一形態が適用されたシステム環境の一例を示す図である。
【図２】図１に示したシステム環境において印刷システムから送付物を発送する際の処理を説明するためのフローチャートである。
【図３】図１に示した印刷システムから発送される送付体の一例を示す図であり、（ａ）は全体の外観を示す図、（ｂ）は送付物に内包された送付状の構成を示す図である。
【図４】図１に示したシステム環境において管理サーバにてメッセージを作成して送信する際の処理を説明するためのフローチャートである。
【図５】図１に示した管理サーバにて作成されたメッセージ画面の一例を示す図である。
【図６】図１に示した印刷システムから発送された送付物の受取人が管理サーバにアクセスする際の処理を説明するためのフローチャートである。
【図７】図１に示した管理サーバから携帯端末に送信される入力画面を示す図である。
【図８】図１に示した管理サーバから携帯端末に送信される情報画面を示す図である。
【図９】図１に示した管理サーバにおいて送付物が開封された旨が認識されない場合に送付物の開封を督促する処理を説明するためのフローチャートである。
【図１０】送付物の開封を督促するために管理サーバから送信されるメッセージ画面の一例を示す図である。
【図１１】図１に示した印刷システムから発送される送付体の他の例を示す図であり、（ａ）は全体の外観を示す図、（ｂ）は見開いた状態の内側の面を示す図である。
【図１２】図１に示したシステム環境において印刷システムにて図１１に示した広告郵便を作製して発送する際の処理を説明するためのフローチャートである。
【図１３】広告郵便の受取人が操作可能な携帯端末に対して管理サーバから送信されるメッセージを示す図である。
【図１４】本発明の通知システムの他の実施の形態が適用されたシステム環境の一例を示す図である。
【発明を実施するための形態】
【００１９】
以下に、本発明の実施の形態について図面を参照して説明する。
【００２０】
図１は、本発明の通知システムの実施の一形態が適用されたシステム環境の一例を示す図である。
【００２１】
本例は図１に示すように、携帯端末１０と、データベースサーバ３０と、管理サーバ２０と、印刷システム４０とから構成されている。
【００２２】
携帯端末１０は、本願発明における情報表示端末となるものであって、ネットワーク５０を介して管理サーバ５０に接続可能に構成され、印刷システム４０から発送された送付体の受取人が操作可能なものである。例えば、携帯電話やスマートフォン等が考えられる。
【００２３】
データベースサーバ３０は、印刷提供データベース３１と、顧客データベース３２と、ＵＲＬデータベース３３と、コンテンツデータベース３４と、発送日データベース３５とを有している。
【００２４】
印刷提供データベース３１には、印刷システム４０から発送される送付体となる送付物に内包される送付状に印刷されるデータが登録されている。
【００２５】
顧客データベース３２には、顧客の氏名や住所、年齢、メッセージアドレス等の属性情報の他、趣味等の嗜好情報からなる顧客データが登録されている。
【００２６】
ＵＲＬデータベース３３には、顧客にサービスを提供するための情報画面のアクセス情報となるＵＲＬが、顧客毎、または顧客の年齢や嗜好毎に設定されたものが登録されている。
【００２７】
コンテンツデータベース３４には、印刷システム４０から発送される送付物の送付状に印刷された識別情報が携帯端末１０を介して入力された場合に携帯端末１０に送信される画面情報が登録されている。
【００２８】
発送日データベース３５には、印刷システム４０から送付物が受取人に発送される日を特定するデータが登録されている。
【００２９】
管理サーバ２０は、本形態の通知システムを用いたサービスの提供側が運営するものであって、データ取得部２１と、メッセージ作成部２２と、メッセージ送信部２３と、タイマ２４と、アクセス受付部２５と、入力画面送信部２６と、開封認識部２７と、コンテンツ取得部２８と、コンテンツ画面送信部２９とを有している。
【００３０】
データ取得部２１は、顧客データベース３２から顧客データを取得し、取得した顧客データに対応する印刷提供データとＵＲＬデータとを印刷提供データベース３１とＵＲＬデータベース３３とからそれぞれ取得する。
【００３１】
メッセージ作成部２２は、本願発明における通知画面作成手段となるものであって、データ取得部２１にて取得された顧客データ、印刷提供データ及びＵＲＬデータを用いて、予告電子通知画面となるメッセージを作成する。
【００３２】
メッセージ送信部２３は、本願発明における情報送信手段となるものであって、メッセージ作成部２２にて作成されたメッセージを、ネットワーク５０を介してその送信先に送信する。
【００３３】
タイマ２４は、本願発明における計測手段となるものであって、メッセージ送信部２３にてメッセージが送信されてからの時間を計測する。
【００３４】
アクセス受付部２５は、メッセージ作成部２２にて作成されたメッセージに埋め込まれたリンク情報を用いての携帯端末１０からのアクセスを受け付ける。
【００３５】
入力画面送信部２６は、本願発明における入力画面送信手段となるものであって、アクセス受付部２５にてアクセスが受け付けられた場合、識別情報となるＩＤを入力するための入力画面を携帯端末１０に送信する。
【００３６】
開封認識部２７は、本願発明における開封情報受信手段となるものであって、入力画面送信部２６から送信された入力画面にＩＤが入力された場合に、印刷システム４０から発送された送付物が開封された旨の情報を受信し、送付物が開封された旨を、タイマ２４にて計測された時間とともに認識する。
【００３７】
コンテンツ取得部２８は、開封認識部２７にて送付物が開封された旨が認識された場合に、タイマ２４にて計測された時間に応じてコンテンツデータベース３４から対応するコンテンツデータを取得する。
【００３８】
コンテンツ画面送信部２９は、コンテンツ取得部２８と合わせて本願発明における情報画面送信手段となるものであって、コンテンツ取得部２８にて取得されたコンテンツデータが掲載されたコンテンツ画面を携帯端末１０に送信する。
【００３９】
印刷システム４０は、データ取得部４１と、印刷物作製部４２と、発送日管理部４３と、発送部４４とを有している。
【００４０】
データ取得部４１は、印刷システム４０から発送される送付物の送付先の顧客データを顧客データベース３２から取得するとともに、印刷システム４０から発送される送付物に内包される送付状に印刷する印刷提供データを印刷提供データベース３１から取得する。
【００４１】
印刷物作製部４２は、データ取得部４１にて取得された顧客データと印刷提供データを用いて送付状を作製する。
【００４２】
発送日管理部４３は、発送日データベース３５を参照し、印刷物作製部４２にて作製された送付状が内包される送付物が受取人に発送される日を特定する。
【００４３】
発送部４４は、印刷物作製部４２にて作製された送付状が内包された送付物を、発送日管理部４３にて特定された日に発送する。
【００４４】
以下に、上記のように構成されたシステム環境において印刷システム４０にて送付物を発送してから管理サーバ２０からコンテンツ画面を提供するまでの処理について説明する。
【００４５】
まず、印刷システム４０から送付物を発送する際の処理について説明する。
【００４６】
図２は、図１に示したシステム環境において印刷システム４０から送付物を発送する際の処理を説明するためのフローチャートである。
【００４７】
図１に示したシステム環境において印刷システム４０から送付物を発送する場合は、まず、データ取得部４１にて、印刷システム４０から発送される送付物の送付先の顧客データが顧客データベース３２から取得されるとともに、印刷システム４０から発送される発送物に内包される送付状に印刷される印刷提供データが印刷提供データベース３１から取得される（ステップ１）。この際、データ取得部４１においては、発送される送付物の送付先によらずに送付物の種類に応じた印刷提供データを印刷提供データベース３１から取得してもよいし、発送される送付物の送付先に応じた印刷提供データを印刷提供データベース３１から取得してよい。送付物の送付先に応じた印刷提供データを印刷提供データベース３１から取得する場合は、顧客データベース３２から取得された顧客データに応じた印刷データを印刷提供データベース３１から検索して取得することになる。具体的には、印刷提供データベース３１には、印刷システム４０から発送される送付物に内包される送付状に印刷されるデータが、顧客の年齢や嗜好に応じて検索可能に登録されている。例えば、自動車に関するデータには、嗜好情報として自動車が対応づけられており、また、ファッションに関するデータには、属性情報として２０代の女性が対応づけられている。そのため、データ取得部４１においては、顧客データベース３２から取得した顧客データに基づいて検索された印刷提供データを印刷提供データベース３１から取得することとなる。
【００４８】
次に、印刷物作製部４２において、データ取得部４１にて取得された印刷提供データを用いて配送ラベルや送付状が作製され、送付状が物品とともに送付物に内包され、また、配送ラベルが送付物に貼付される（ステップ２）。
【００４９】
次に、発送日管理部４３において、発送日データベース３５が参照され、送付物が受取人に発送される日が特定される（ステップ３）。ここで、発送日データベース３５には、送付物が受取人に発送される日を特定するデータが送付物毎に登録されており、発送日管理部４３において、発送日データベース３５に登録されたデータに基づいて、送付物が受取人に発送される日が特定されることになる。なお、印刷物作製部４２にて作製された送付状が物品とともに送付物に内包され、また、配送ラベルが送付物に貼付された後に、その発送日を発送日データベース３５に登録する構成としてもよい。
【００５０】
その後、発送部４４において、印刷物作製部４２にて作製された送付状が物品とともに内包され、配送ラベルが貼付された送付物が、発送日管理部４３にて特定された日に発送される（ステップ４）。
【００５１】
図３は、図１に示した印刷システム４０から発送される送付体の一例を示す図であり、（ａ）は全体の外観を示す図、（ｂ）は送付物に内包された送付状の構成を示す図である。
【００５２】
図１に示した印刷システム４０から発送される送付体としては、図３に示すように、箱体１ａ内に、物品となる商品サンプル２ａ，２ｂとともに送付状３が内包されてなる送付物１が考えられる。
【００５３】
商品サンプル２ａ，２ｂとともに箱体１ａに内包される送付状３には、送付物１の送付先の氏名等の宛先情報３ａと、商品サンプル２ａ，２ｂに関する案内情報３ｂと、優遇内容となるキャンペーン情報４ａ〜４ｃとが印刷されているとともに、識別情報となるＩＤ５ａが印刷されている。なお、ＩＤ５ａは、商品サンプルに関するキャンペーンを特定可能なものであって、送付物１の受取人によらずにキャンペーン毎に一律のものとなっている。このように、ＩＤ５ａは、送付物１に内包される送付状３に印刷されることにより、送付物１の送付途中においては隠蔽された状態となっており、送付物１が開封された際に閲覧可能な領域に記載されたものとなっている。
【００５４】
次に、管理サーバ２０にてメッセージを作成して送信する際の処理について説明する。
【００５５】
図４は、図１に示したシステム環境において管理サーバ２０にてメッセージを作成して送信する際の処理を説明するためのフローチャートである。
【００５６】
上記のように印刷システム４０から送付物１が発送される一方、管理サーバ２０においては、まず、データ取得部２１において、送付物１の送付先の顧客データが顧客データベース３２から取得されるとともに、取得した顧客データに対応する印刷提供データとＵＲＬデータとが印刷提供データベース３１とＵＲＬデータベース３３とからそれぞれ取得される（ステップ１１）。ここで、印刷提供データベース３１には、印刷システム４０から発送される送付物１に内包される送付状等に印刷されるデータに関連して、管理サーバ２０にて作成されるメッセージに掲載されるデータが、顧客の年齢や嗜好に応じて検索可能に登録されている。そのため、データ取得部４１においては、顧客データベース３２から取得した顧客データに基づいて検索された印刷提供データを印刷提供データベース３１から取得することとなる。また、ＵＲＬデータベース３３においては、管理サーバ２２０にて作成されるメッセージにリンク情報として埋め込まれるＵＲＬが、印刷提供データベース３１と同様に、顧客の年齢や嗜好に応じて検索可能に登録されている。そのため、データ取得部４１においては、顧客データベース３２から取得した顧客データに基づいて検索されたＵＲＬをＵＲＬデータベース３２から取得することとなる。
【００５７】
次に、メッセージ作成部２２において、データ取得部２１にて取得された顧客データ、印刷提供データ及びＵＲＬデータを用いてメッセージが作成される（ステップ１２）。
【００５８】
図５は、図１に示した管理サーバ２０にて作成されたメッセージ画面の一例を示す図である。
【００５９】
図１に示した管理サーバ２０にて作成されたメッセージは、図５に示すように、データ取得部２１にて顧客データベース３２から取得された顧客の氏名からなる宛先情報８と、データ取得部２１にて印刷提供データベース３１から取得されたデータに応じたキャンペーン名を含んだお奨め情報となるキャンペーン情報６ａとが掲載されている。このキャンペーン情報６ａは、送付状３に記載されたキャンペーン情報４ａ〜４ｃのうち、データ取得部２１にて取得された顧客データに基づいて検索された、例えばキャンペーン情報４ａに関するものである。また、データ取得部２１にてＵＲＬデータベース３３から取得されたＵＲＬによるリンク情報７が埋め込まれている。このリンク情報７は、メッセージの送信先によらずに送付物１の種類に応じて一律となる固定パラメータ７ａと、メッセージの送信先に応じて設定される動的パラメータ７ｂとから構成されている。すなわち、ＵＲＬデータベース３３においては、管理サーバ２０にて作成されるメッセージにリンク情報として埋め込まれるＵＲＬが、送付物１の種類に応じて、顧客の年齢や嗜好によって動的パラメータ７ｂが互いに異なるものとして登録されており、データ取得部２１によって、顧客の年齢や嗜好に応じて検索されることになる。また、送付物１に内包された送付状３に印刷された情報のうち、送付物１の受取人に特に見てもらいたいポイントを掲載してもよい。また、メッセージ１１には、リンク情報７を指定することによって携帯端末１０に提供される情報入力画面に、送付状３に印刷されたＩＤ５ａを入力するための期限を示す入力期限情報１３が表示されている。
【００６０】
次に、メッセージ送信部２３において、発送日データベース３５が参照され、作成されたメッセージの送信先に発送される送付物２０１の発送日が確認される（ステップ１３）。これは、発送日データベース３５において、送付物１の発送日を顧客毎に予め付与された識別情報や送付物１の種類毎に登録しておき、これら識別情報や種類をキーワードとして検索することが考えられる。なお、実際には、メッセージ作成部２２においては、図５に示したようなメッセージそのものが作成されるのではなく、図５に示したようなメッセージを携帯端末１０側のアプリにて表示するためのソースコード等の表示情報が組み立てられることとなる。
【００６１】
次に、メッセージ送信部２３において、メッセージ作成部２２にて作成されたメッセージが、データ取得部２１にて顧客データベース３２から取得されたアドレスを宛先としてネットワーク５０を介して携帯端末１０に送信される（ステップ１４）。この際、ステップ１３にて確認された送付物１の発送日に基づいて、送付物１が受取人に届く日時より前の送信タイミングが決定され、その送信タイミングにおいて、メッセージ作成部２２にて作成されたメッセージが送信されることになる。例えば、ステップ１３にて確認された送付物１の発送日をメッセージの送信タイミングとすることが考えられる。なお、メッセージ送信部２３においても、実際には、図５に示したようなメッセージそのものが送信されるのではなく、メッセージ作成部２２にて組み立てられたソースコード等の表示情報が送信されることとなる。
【００６２】
その後、管理サーバ２０から送信されたメッセージは、ネットワーク５０を介して携帯端末１０にて受信、表示されることとなる（ステップ１５）。なお、携帯端末１０においても、実際には、上述したように、メッセージ送信部２３からはメッセージを表示するための表示情報が送信されてくるため、表示情報が受信されると、インストールされているアプリによって表示情報によるメッセージが表示されることとなる。その際、図５に示すように、メッセージ１１の受信日時を示す時刻情報１２がメッセージ１１とともに携帯端末１０に表示される。
【００６３】
このようにして、印刷システム４０から発送された送付物１の受取人は、携帯端末１０にて受信されたメッセージ１１を閲覧することで、送付物１が送付されてくることを知ることができる。その際、メッセージ１１には、上述したように、送付物１を用いて提供されるキャンペーンに関するキャンペーン情報６ａが掲載されていることで、送付物１を受け取る前にキャンペーン情報６ａに関する情報が通知されることを知ることができ、送付物１についてその受取人に興味を沸かせることができ、それにより、送付物１の開封率を向上させることができる。
【００６４】
次に、印刷システム４０から発送された送付物１の受取人が、この送付物１と、管理サーバ２０から送信されて携帯端末１０にて受信されたメッセージ１１とを用いてサービスを受ける際の処理について説明する。
【００６５】
図６は、図１に示した印刷システム４０から発送された送付物１の受取人が管理サーバ２０にアクセスする際の処理を説明するためのフローチャートである。
【００６６】
上述したように管理サーバ２０から送信されたメッセージが携帯端末１０にて受信され、印刷システム４０から発送された送付物１が受取人に届けられた後、送付物１が受取人によって、携帯端末１０にて受信されたメッセージに埋め込まれたリンク情報７が指定されると、管理サーバ２０へのアクセスが行われる（ステップ２１）。この際、送付物１が送付されてきたことで、リンク情報が埋め込まれたメッセージを受信しただけの場合と比べて、送付物１の受取人におけるサービスに対する信頼性が高まり、管理サーバ２０へのアクセスが行われる可能性が高まる。また、管理サーバ２０へのアクセスをするためのリンク情報７がメッセージに埋め込まれていることで、送付物１に内包された送付状３等に印刷されたＵＲＬを入力したり、二次元コードを読み取ってアクセスしたりする等の手間をかけることなく、送付物１に内包された送付状３等という書面では表せない追加の情報を、送付物１の受取人に提供することができる。
【００６７】
すると、管理サーバ２０のアクセス受付部２５において、携帯端末１０からのアクセスが受け付けられ、入力画面送信部２６において、送付物１に内包された送付状３に印刷されたＩＤ５ａを入力するための入力画面がネットワーク５０を介して携帯端末１０に送信される（ステップ２２）。
【００６８】
図７は、図１に示した管理サーバ２０から携帯端末１０に送信される入力画面を示す図である。
【００６９】
管理サーバ２０の入力画面送信部２６から送信される入力画面は、図７に示すように、送付状３に印刷されたＩＤ５ａを入力するためのＩＤ入力エリア９ａと、ＩＤ入力エリア９ａに入力されたＩＤを管理サーバ２０に送信するための送信ボタン９ｃとが設けられており、このように構成された入力画面が携帯端末１０にて受信されて表示される（ステップ２３）。
【００７０】
送付物１の受取人は、携帯端末１０に表示された入力画面にＩＤ入力エリア９ａに、送付物１に内包された送付状３に印刷されたＩＤ５ａを入力するためには、送付状３を取り出す必要があり、それにより、送付物１が開封されることになる。また、携帯端末１０に送信されてきたメッセージに掲載されたキャンペーン情報６ａが、送付物１に内包された送付状３に印刷されたキャンペーン情報４ａに関するものであることにより、送付物１の受取人が、メッセージに掲載されたキャンペーン情報６ａについてさらに知りたくなることで、送付物１を開封することとなり、送付物１の開封率をさらに向上させることができる。
【００７１】
また、携帯端末１０に送信されたメッセージには、送付状３に印刷されたＩＤ５ａをＩＤ入力エリア９ａに入力するための期限を示す入力期限情報１３が記載されているため、送付物１の早期の開封を促すことができる。
【００７２】
そして、携帯端末１０に表示された入力画面におけるＩＤ入力エリア９ａに、送付状３に印刷されたＩＤ５ａが入力され、送信ボタン９ｃが押下されることでＩＤ５ａが携帯端末１０から送信されると（ステップ２４）、送信されたＩＤ５ａは、ネットワーク５０を介して管理サーバ２０の開封認識部２７にて受信される（ステップ２５）。
【００７３】
開封認識部２７においては、携帯端末１０から送信されたＩＤ５ａが受信された場合、受信されたＩＤ５ａが、送付物１に内包された送付状３に印刷されたものであることから、ＩＤ５ａが、送付物１が開封された旨の情報として受信され、送付物１が開封された旨が認識される（ステップ２６）。そして、開封認識部２７においては、送付物１が開封された旨が開封履歴として登録される。このようにして、送付物１が開封されたかどうかの履歴を管理サーバ２０側で回収することができる。なお、送付物１が開封されたにも関わらず、送付状３に印刷されたＩＤ５ａが入力、送信されない場合も考えられるが、送付状３に印刷されたＩＤ５ａが受信されたことで、送付物１のおおよその開封率を把握することができ、さらには、顧客データベース３２に登録された顧客データと照合することで、送付物１の受取人の属性情報や嗜好に応じた開封率を把握することもできる。
【００７４】
また、タイマ２４において、メッセージ送信部２３にてメッセージが送信されてからの時間が計測されており、開封認識部２７においては、送付物１が開封された旨を認識した際に、それまでにタイマ２４にて計測された時間が認識される（ステップ２７）。
【００７５】
そして、コンテンツ取得部２８においてはまず、開封認識部２７にて認識された時間に基づいて、開封認識部２７にてＩＤ５ａが開封情報として受信された日時が、メッセージ送信部２３から携帯端末１０に送信されたメッセージに記載された入力期限情報１３によって指定される入力期限内であるかどうかが判断される。コンテンツ取得部２８においては、メッセージ送信部２３から携帯端末１０に送信されたメッセージに掲載された入力期限情報１３によって指定される入力期限が、送付状３に印刷されたＩＤ５ａに対応づけて管理されているため、開封認識部２７にて受信されたＩＤ５ａとタイマ２４にて計測された時間とに基づいて、開封認識部２７にてＩＤ５ａが開封情報として受信された日時が、メッセージ送信部２３から携帯端末１０に送信されたメッセージに掲載された入力期限情報１３によって指定される入力期限内であるかどうかを判断することができる。このように、タイマ２４において、メッセージ送信部２３にてメッセージが送信されてからの時間が計測されており、開封認識部２７において送付物１が開封された旨を認識した際に、それまでにタイマ２４にて計測された時間に基づいて、開封認識部２７にてＩＤ５ａが開封情報として受信された日時が、メッセージ送信部２３から携帯端末１０に送信されたメッセージに掲載された入力期限情報１３によって指定される入力期限内であるかどうかを判断することにより、メッセージ送信部２３から携帯端末１０にメッセージが送信された日時を基準として、送付物１が開封されたタイミングを認識することができる。
【００７６】
次に、コンテンツ取得部２８において、コンテンツデータベース３４から対応するコンテンツデータが取得される（ステップ２８）。コンテンツデータベース３４には、印刷提供データベース３１と同様に、携帯端末１０に送信されるコンテンツが、顧客の年齢や嗜好に応じて検索可能に登録されている。コンテンツ取得部２８においては、携帯端末１０から送信されてきたＩＤと、そのＩＤが入力された入力画面とを認識することで、顧客の年齢や嗜好に応じたコンテンツを検索することができる。これは、入力画面送信部２６から携帯端末１０に送信された入力画面が、データ取得部２１にて取得された顧客データに応じてメッセージに掲載されたＵＲＬが指定されたことによるものであるためである。この際、コンテンツ取得部２８においては、開封認識部２７にてＩＤ５ａが開封情報として受信された日時が、メッセージ送信部２３から携帯端末１０に送信されたメッセージに掲載された入力期限情報１３によって指定される入力期限内である場合と入力期限外である場合とで、異なるコンテンツデータがコンテンツデータベース３４から取得されることになる。コンテンツデータベース３４には、送付物１が開封された日時が、メッセージ送信部２３から携帯端末１０に送信されたメッセージに掲載された入力期限情報１３によって指定される入力期限内である場合に提供されるコンテンツデータと、入力期限外である場合に提供されるコンテンツデータとが区別されて登録されているため、コンテンツ取得部２８においては、送付物１が開封された日時が、メッセージ送信部２３から携帯端末１０に送信されたメッセージに掲載された入力期限情報１３によって指定される入力期限内である場合と入力期限外である場合とで、異なるコンテンツデータをコンテンツデータベース３４から取得することができる。
【００７７】
コンテンツ取得部２８にて取得されたコンテンツは、コンテンツ画面送信部２９から情報画面として送信され（ステップ２９）、ネットワーク５０を介して携帯端末１０にて受信されて表示されることになる（ステップ３０）。
【００７８】
図８は、図１に示した管理サーバ２０から携帯端末１０に送信される情報画面を示す図である。
【００７９】
送付物１が開封された日時が入力期限内である場合は、管理サーバ２０から携帯端末１０に送信される情報画面には、図８（ａ）に示すように、送付物１についての感想の入力を依頼するメッセージ９ｄと、送付物１についての感想を入力するための感想入力エリア９ｅと、感想入力エリア９ｅに入力された感想を管理サーバ２０に送信するための送信ボタン９ｆとが設けられており、このように構成された情報画面が携帯端末１０にて受信されて表示される。
【００８０】
その後、送付物１の受取人によって、送付物１についての感想が感想入力エリア９ｅに入力され、送信ボタン９ｆが押下されることで、送付物１についての受取人の感想が管理サーバ２０に送信されて収集されることになる。
【００８１】
一方、送付物１が開封された日時が入力期限外である場合は、図８（ｂ）に示すように、入力期限を過ぎており、ＩＤ５ａの入力が無効である旨を示すメッセージ９ｇのみが表示された情報画面が携帯端末１０にて受信されて表示される。これにより、ＩＤ５ａを入力した送付物１の受取人は、ＩＤ５ａの入力が入力期限を過ぎていることで無効であることを認識し、その先の処理には進むことができないことになる。
【００８２】
このように本形態においては、送付物１が開封された日時が、送付物１の受取人が操作可能な携帯端末１０に送信されたメッセージに表示された入力期限内である場合と入力期限外である場合とで、異なるコンテンツからなる情報画面が携帯端末１０に送信されるので、この情報画面を用いて送付物１についての情報を収集する場合、送付物１が開封されたタイミングに応じて適切な情報を収集することができる。また、送付物１が開封された日時が、送付物１の受取人が操作可能な携帯端末１０に送信されたメッセージに表示された入力期限外である場合に、携帯端末１０に送信された入力画面へのＩＤ５ａの入力が無効である旨を示すメッセージ９ｇが表示された情報画面が携帯端末１０に表示されることで、送付物１が消費期限や使用期限が設定されているもの等の場合に、消費期限や使用期限が経過した送付物１についての情報が不要であれば、そのような情報が収集されないようにすることができる。
【００８３】
上述したように、本形態においては、携帯端末１０に送信するメッセージに埋め込まれるリンク情報７が、メッセージの送信先によらずに送付物１の種類に応じて一律となる固定パラメータ７ａと、メッセージの送信先に応じて設定される動的パラメータ７ｂとから構成されている。そのため、送付物１に内包された送付状３に、受取人毎に個別のパスワード等の識別情報を印刷することができない場合であっても、送付物１の受取人に応じたサービスを提供することができる。
【００８４】
ここで、開封認識部２７にて送付物１が開封された旨が認識されない場合に、管理サーバ２０にて送付物１の開封を督促する構成も考えられる。
【００８５】
図９は、図１に示した管理サーバ２０において送付物１が開封された旨が認識されない場合に送付物１の開封を督促する処理を説明するためのフローチャートである。
【００８６】
上記のようにメッセージ作成部２２にて作成されたメッセージがメッセージ送信部２３から、送付物１の受取人が操作する携帯端末１０に送信された後（ステップ３１）、タイマ２４において、メッセージが送信されてからの時間が計測されており、開封認識部２７において送付物１が開封された旨が認識されない時間が一定時間経過した場合（ステップ３２，３３）、メッセージ送信部２３から携帯端末１０にメッセージが再度送信される。この処理は、開封認識部２７にて送付物１が開封された旨が認識されるか、携帯端末１０へのメッセージの送信回数が所定回数に達するまで行われる（ステップ３４）。
【００８７】
このようにして、開封認識部２７において送付物１が開封された旨が認識されるまで、送付物１の受取人が操作する携帯端末１０にメッセージを所定回数送信することで、送付物１の開封を督促することができる。その際、携帯端末１０に送信するメッセージは、同一のアプリケーションを用いることで、送付物１の受取人は、送信されてくる複数のメッセージが同一の通知であることを認識することができる。特に、メッセージとして、ＬＩＮＥ（登録商標）を用い、管理サーバ２０から送信される複数の通知が携帯端末１０の１つの画面内に表示されれば、同一の通知であることがわかりやすい。
【００８８】
図１０は、送付物１の開封を督促するために管理サーバ２０から送信されるメッセージ画面の一例を示す図である。
【００８９】
図１０に示すように、図５に示した宛先情報８やキャンペーン情報６ａ、リンク情報７等からなるメッセージ１１が、開封認識部２７にて送付物１が開封された旨が認識されるか、携帯端末１０へのメッセージの送信回数が所定回数に達するまで一定時間毎に繰り返し送信され、その受信時刻を示す時刻情報１２とともに、携帯端末１０の１つの画面内に表示することが考えられる。
【００９０】
これにより、上述したように、一定時間毎に送信されてくるメッセージ１１が同一の通知であることがわかりやすくなる。
【００９１】
なお、本形態においては、メッセージ送信部２３にてメッセージが送信されてからの時間がタイマ２４にて計測されており、コンテンツ取得部２８において、開封認識部２７にて受信されたＩＤ５ａとタイマ２４にてそれまでに計測された時間とに基づいて、開封認識部２７にてＩＤ５ａが開封情報として受信された日時が、メッセージ送信部２３から携帯端末１０に送信されたメッセージに掲載された入力期限情報１３によって指定される入力期限内であるかどうかが判断されているが、コンテンツ取得部２８において、ＩＤ５ａの入力期限による時刻を送付物１毎に管理しておき、開封認識部２７にてＩＤ５ａが開封情報として受信された日時がその時刻を経過しているかによって、開封認識部２７にてＩＤ５ａが開封情報として受信された日時が、メッセージ送信部２３から携帯端末１０に送信されたメッセージに掲載された入力期限情報１３によって指定される入力期限内であるかどうかを判断してもよい。
【００９２】
（他の実施の形態）
上述した実施の形態においては、送付体として、箱体１ａ内に、物品となる商品サンプル２ａ，２ｂとともに送付状３が内包されてなる送付物１を例に挙げて説明したが、送付体としてはこれに限らず、広告郵便を用いることもできる。
【００９３】
図１１は、図１に示した印刷システム４０から発送される送付体の他の例を示す図であり、（ａ）は全体の外観を示す図、（ｂ）は見開いた状態の内側の面を示す図である。
【００９４】
図１に示した印刷システム４０から発送される送付体としては、図１１に示すように、折り部１０１ｃを介して連接した表面紙片１０１ａと裏面紙片１０１ｂとが、折り部１０１ｃを中心に折り畳まれて剥離可能に貼着された宣伝広告用の通知物である広告郵便１０１が考えられる。
【００９５】
表面紙片１０１ａには、折り畳まれた状態における外側の面に、広告郵便１０１の送付先の氏名や住所からなる宛先情報１０２が印字されるとともに、表紙情報１０３が印刷されている。また、表面紙片１０１ａの折り畳まれた状態における内側の面には、優遇内容となるキャンペーン情報１０４ａ〜１０４ｃが印刷されている。
【００９６】
裏面紙片１０１ｂには、折り畳まれた状態における内側の面に、優遇内容となるクーポン情報１０４ｄ，１０４ｅ及び識別情報となるＩＤ１０５ａが印刷されている。なお、ＩＤ１０５ａにおいては、広告郵便１０１の受取人によらずに一律のものとなっている。
【００９７】
図１２は、図１に示したシステム環境において印刷システム４０にて図１１に示した広告郵便１０１を作製して発送する際の処理を説明するためのフローチャートである。
【００９８】
図１に示したシステム環境において印刷システム４０にて図１１に示した広告郵便１０１を作製して発送する場合は、まず、データ取得部４１にて、広告郵便１０１の送付先の顧客データが顧客データベース３２から取得されるとともに、広告郵便１０１に印刷される印刷提供データが印刷提供データベース３１から取得される（ステップ１０１）。ここで、広告郵便１０１は、送付料金が信書郵便と比べて安価である一方、送付先毎に個別の情報を印刷することができない。そのため、データ取得部４１においては、作製される広告郵便１０１の送付先によらずに広告郵便１０１の種類に応じた印刷提供データが印刷提供データベース３１から取得される。
【００９９】
次に、印刷物作製部４２において、データ取得部４１にて取得された印刷提供データを用いて広告郵便１０１が作製される（ステップ１０２）。具体的には、宛先情報１０２が印字されるとともに、表紙情報１０３、キャンペーン情報１０４ａ〜１０４ｃ、クーポン情報１０４ｄ，１０４ｅ及びＩＤ１０５ａが印刷された後、キャンペーン情報１０４ａ〜１０４ｃ、クーポン情報１０４ｄ，１０４ｅ及びＩＤ１０５ａが印刷された面が内側となるように、表面紙片１０１ａと裏面紙片１０１ｂとが折り部１０１ｃを中心に折り畳まれて剥離可能に貼着されて作製される。
【０１００】
次に、発送日管理部４３において、発送日データベース３５が参照され、印刷物作製部４２にて作製された広告郵便１０１が受取人に発送される日が特定される（ステップ１０３）。ここで、発送日データベース３５には、印刷システム４０にて作製された広告郵便１０１が受取人に発送される日を特定するデータが広告郵便１毎に登録されており、発送日管理部４３において、発送日データベース３５に登録されたデータに基づいて、広告郵便１０１が受取人に発送される日が特定されることになる。なお、印刷物作製部４２にて広告郵便１０１が作製された後に、その発送日を発送日データベース３５に登録する構成としてもよい。
【０１０１】
その後、発送部４４において、印刷物作製部４２にて作製された広告郵便１０１が、発送日管理部４３にて特定された日に発送される（ステップ１０４）。広告郵便１０１は、上述したように、キャンペーン情報１０４ａ〜１０４ｃ、クーポン情報１０４ｄ，１０４ｅ及びＩＤ１０５ａが印刷された面が内側となるように折り畳まれて剥離可能に貼着された状態で発送されることになるため、広告郵便１０１の送付途中においては、キャンペーン情報１０４ａ〜１０４ｃ、クーポン情報１０４ｄ，１０４ｅ及びＩＤ１０５ａが閲覧不可能となっており、ＩＤ１０５ａが、広告郵便１０１によって隠蔽された状態で広告郵便１０１が送付される。
【０１０２】
その後、上述した実施の形態に示したものと同様に、広告郵便１０１の受取人が操作可能な携帯端末１０に対して、広告郵便１０１が送付されてくる旨を通知するメッセージが管理サーバ２０から送信される。
【０１０３】
図１３は、広告郵便１０１の受取人が操作可能な携帯端末１０に対して管理サーバ２０から送信されるメッセージを示す図である。
【０１０４】
広告郵便１０１の受取人が操作可能な携帯端末１０に対して管理サーバ２０から送信されるメッセージには、図１３に示すように、データ取得部２１にて顧客データベース３２から取得された顧客の氏名からなる宛先情報１０８と、データ取得部２１にて印刷提供データベース３１から取得されたデータに応じたキャンペーン名を含んだキャンペーン情報１０６ａとが掲載されている。このキャンペーン情報１０６ａは、広告郵便１０１に印刷されたキャンペーン情報１０４ａ〜１０４ｃ及びクーポン情報１０４ｄ，１０４ｅのうち、データ取得部２１にて取得された顧客データに基づいて検索された、例えばキャンペーン情報１０４ａに関するものである。また、データ取得部２１において、印刷システム４０にて作製される広告郵便１に印刷された表紙情報１０３のデータが印刷提供データベース３１から取得されていることで、この表紙情報１０３が表示された広告郵便１０１の画像イメージ１０６ｂが掲載されている。さらに、データ取得部２１にてＵＲＬデータベース３３から取得されたＵＲＬによるリンク情報１０７が埋め込まれている。このリンク情報１０７は、メッセージの送信先によらずに広告郵便１０１の種類に応じて一律となる固定パラメータ１０７ａと、メッセージの送信先に応じて設定される動的パラメータ１０７ｂとから構成されている。すなわち、ＵＲＬデータベース３３においては、管理サーバ２０にて作成されるメッセージにリンク情報として埋め込まれるＵＲＬが、広告郵便１０１の種類に応じて、顧客の年齢や嗜好によって動的パラメータ１０７ｂが互いに異なるものとして登録されており、データ取得部１２１によって、顧客の年齢や嗜好に応じて検索されることになる。また、メッセージには、リンク情報１０７を指定することによって携帯端末１０に提供される情報入力画面に、広告郵便１０１に印刷されたＩＤ１０５ａを入力するための期限を示す入力期限情報１１３が表示されている。
【０１０５】
上記のように構成されたメッセージが、広告郵便１の受取人が操作可能な携帯端末１０にて受信された後、上記同様に、リンク情報１０７が指定されることで管理サーバ２０から送信されてくる入力画面にＩＤ１０５ａが入力され、そのＩＤ１０５ａが入力されたタイミングに応じて異なる情報画面が管理サーバ２０から携帯端末１０に送信されることになる。その際、広告郵便１０１の受取人は、管理サーバ２０から送信されてくる入力画面に、広告郵便１０１に印刷されたＩＤ１０５ａを入力するためには、広告郵便１０１を開封する必要があり、それにより、広告郵便１０１が、表面紙片１０１ａと裏面紙片１０１ｂとが剥離されて開封されることになる。また、携帯端末１０に送信されてきたメッセージに掲載されたキャンペーン情報１０６ａが、広告郵便１の折り畳み状態における内側となる面に印刷されたキャンペーン情報１０４ａに関するものであることにより、広告郵便１０１の受取人が、メッセージに掲載されたキャンペーン情報１０６ａについてさらに知りたくなることで、広告郵便１０１を開封することとなり、広告郵便１０１の開封率をさらに向上させることができる。
【０１０６】
また、上述したように、携帯端末１０に送信されるメッセージに埋め込まれるリンク情報１０７が、メッセージの送信先によらずに広告郵便１の種類に応じて一律となる固定パラメータ１０７ａと、メッセージの送信先に応じて設定される動的パラメータ１０７ｂとから構成されているため、送付料金が信書郵便と比べて安価であるものの、送付先毎に個別の情報を印刷することができない広告郵便１０１を用いたことによって広告郵便１０１の受取人に個別のパスワード等の識別情報を印刷することができない場合であっても、広告郵便１０１の受取人に応じたサービスを提供することができる。
【０１０７】
図１４は、本発明の通知システムの他の実施の形態が適用されたシステム環境の一例を示す図である。
【０１０８】
本例は図１４に示すように、図１に示したものに対して、データベースサーバ３０がＵＲＬデータベース３３を有していない点が異なるものである。これは、図１に示したものが、その受取人によらずに一律のＩＤ５ａ，１０５ａが印刷された送付状３や広告郵便１０１が印刷システム４０にて作製される場合のシステム環境であるのに対して、本形態は、信書郵便が印刷システム４０にて作製される場合のシステム環境であるためである。
【０１０９】
信書郵便は、広告郵便に対して送付料金が高いものの、送付先毎に個別の情報を印刷することができる。
【０１１０】
そこで、本形態においては、印刷システム４０において、信書郵便の受取人毎に設定されたＩＤ及びパスワードを信書郵便に印刷して受取人に通知することで、管理サーバ２０から携帯端末１０に送信されてくる入力画面にＩＤ及びパスワードが入力された場合に、携帯端末１０に信書郵便の受取人に応じたコンテンツ画面が提供されることになる。そのため、管理サーバ２０においては、携帯端末１０に送信するメッセージに埋め込まれるリンク情報を、信書郵便の受取人に応じて異ならせる必要がなく、そのため、データベースサーバ２０がＵＲＬデータベース３３を有さず、メッセージ作成部２２において、予め設定されたＵＲＬをリンク情報としてメッセージに埋め込めばよい。
【０１１１】
上記のように構成された本形態においても、印刷システム４０から発送された信書郵便の受取人は、携帯端末１０にて受信されたメッセージを閲覧することで、信書郵便が送付されてくることを知ることができる。
【符号の説明】
【０１１２】
１    送付物
１ａ    箱体
２ａ，２ｂ    商品サンプル
３    送付状
３ａ    宛先情報
３ｂ    案内情報
４ａ〜４ｃ，６ａ，１０４ａ〜１０４ｃ，１０６ａ    キャンペーン情報
５ａ，１０５ａ    ＩＤ
７，１０７    リンク情報
７ａ，１０７ａ    固定パラメータ
７ｂ，１０７ｂ    動的パラメータ
８，１０２，１０８    宛先情報
９ａ    ＩＤ入力エリア
９ｃ，９ｆ    送信ボタン
９ｄ，９ｇ，１１    メッセージ
９ｅ    感想入力エリア
１０    携帯端末
１２    時刻情報
１３，１１３    入力期限情報
２０    管理サーバ
２１，４１    データ取得部
２２    メッセージ作成部
２３    メッセージ送信部
２４    タイマ
２５    アクセス受付部
２６    入力画面送信部
２７    開封認識部
２８    コンテンツ取得部
２９    コンテンツ画面送信部
３０，２３０    データベースサーバ
３１    印刷提供データベース
３２    顧客データベース
３３    ＵＲＬデータベース
３４    コンテンツデータベース
３５    発送日データベース
４０    印刷発送システム
４２    印刷物作製部
４３    発送日管理部
４４    発送部
５０    ネットワーク
１０１    広告郵便
１０１ａ    表面紙片
１０１ｂ    裏面紙片
１０１ｃ    折り部
１０３    表紙情報
１０４ｄ，１０４ｅ    クーポン情報
１０６ｂ    画像イメージ
【図１】
2019003422.tif 000003
【図２】
2019003422.tif 000004
【図３】
2019003422.tif 000005
【図４】
2019003422.tif 000006
【図５】
2019003422.tif 000007
【図６】
2019003422.tif 000008
【図７】
2019003422.tif 000009
【図８】
2019003422.tif 000010
【図９】
2019003422.tif 000011
【図１０】
2019003422.tif 000012
【図１１】
2019003422.tif 000013
【図１２】
2019003422.tif 000014
【図１３】
2019003422.tif 000015
【図１４】
2019003422.tif 000016